(57)【要約】本発明は、通信装置で１以上のアプリケーションを起動する方法であって、１以上の部分が人である２以上の部分の間で通信中に、通信装置で、１以上の表現を検出するステップと、表現をデータベースに格納された表現と比較するステップと、比較に応じて１以上のキー表現を特定するステップと、特定されたキー表現に基づき起動基準を決定するステップと、通信装置で、起動基準に基づき、１以上のアプリケーションを起動するステップとを含む方法に関する。【選択図】図３
2011523284.tif 000002
【特許請求の範囲】
【請求項１】
通信装置で１以上のアプリケーションを起動する方法であって、
１以上の部分が人である２以上の部分の間で通信中に、前記通信装置で、１以上の表現を検出するステップと、
前記表現をデータベースに格納された表現と比較するステップと、
前記比較に応じて１以上のキー表現を特定するステップと、
前記特定されたキー表現に基づき起動基準を決定するステップと、
前記通信装置で、前記起動基準に基づき、１以上のアプリケーションを起動するステップと
を含む方法。
【請求項２】
前記起動基準は、さらにユーザ情報に基づく、請求項１に記載の方法。
【請求項３】
前記通信中に特定されたキー表現の発生に関する統計データを格納するステップをさらに含み、前記起動基準を決定するステップは、さらに統計データに基づく、請求項１または２に記載の方法。
【請求項４】
前記特定されたキー表現に基づき終了基準を決定し、前記通信装置で、前記終了基準に基づき、１以上のアプリケーションを終了するステップをさらに含む、請求項１から３のうちいずれか１項に記載の方法。
【請求項５】
前記終了基準は、さらにユーザ情報に基づく、請求項４に記載の方法。
【請求項６】
前記起動基準は、前記通信中に最初に特定されたキー表現に基づく、請求項１から５のうちいずれか１項に記載の方法。
【請求項７】
前記起動基準は、前記通信中に連続的に更新される、請求項１から６のうちいずれか１項に記載の方法。
【請求項８】
前記起動基準に基づく起動は、前記通信中に連続的に実行される、請求項６に記載の方法。
【請求項９】
前記起動基準に基づく前記起動は、前記通信が終了後に実行される、請求項１から８のうちいずれか１項に記載の方法。
【請求項１０】
前記検出は、アプリケーションが起動されると終了する、請求項１から９のうちいずれか１項に記載の方法。
【請求項１１】
実行中のアプリケーションは、他のアプリケーションが起動されると終了する、請求項１から１０のうちいずれか１項に記載の方法。
【請求項１２】
通信装置で１以上のアプリケーションを起動するように適用された前記通信装置であって、
１以上の部分が人である２以上の部分の間で通信中に、前記通信装置で、１以上の表現を検出する検出手段と、
前記表現をデータベースに格納された表現と比較する比較手段と、
前記比較に応じて１以上のキー表現を特定する特定手段と、
前記特定されたキー表現に基づき起動基準を決定する決定手段と、
前記通信装置で、前記起動基準に基づき、１以上のアプリケーションを起動する起動手段と
を備える通信装置。
【請求項１３】
ユーザ情報を提供する提供手段をさらに備える、請求項１２に記載の通信装置。
【請求項１４】
前記通信中に特定されたキー表現の発生に関する統計データを格納する格納手段をさらに備える、請求項１２または１３に記載の通信装置。
【請求項１５】
前記特定されたキー表現に基づき終了基準を決定する決定手段と、前記通信装置で、前記終了基準に基づき、１以上のアプリケーションを終了する終了手段とをさらに備える、請求項１２から１４のうちいずれか１項に記載の通信装置。
【請求項１６】
前記通信中に前記起動基準を連続的に更新する更新手段をさらに備える、請求項１２から１５のうちいずれか１項に記載の通信装置。
【請求項１７】
前記通信中に前記起動基準に基づく前記起動手段を連続的に実行する実行手段をさらに備える、請求項１６に記載の通信装置。
【請求項１８】
通信装置で１以上のアプリケーションを起動するように適用されたシステムであって、
１以上の部分が人である２以上の部分の間で通信中に、前記通信装置で、１以上の表現を検出する検出部と、
前記表現をデータベースに格納された表現と比較する比較部と、
前記比較に応じて１以上のキー表現を特定する特定部と、
前記特定されたキー表現に基づき起動基準を決定する決定部と、
前記通信装置で、前記起動基準に基づき、１以上のアプリケーションを起動する起動部と
を備えるシステム。
【請求項１９】
ユーザ情報を提供する提供部をさらに備える、請求項１８に記載のシステム。
【請求項２０】
前記通信中に特定されたキー表現の発生に関する統計データを格納する格納部をさらに備える、請求項１８または１９に記載のシステム。
【請求項２１】
前記特定されたキー表現に基づき終了基準を決定する決定部と、前記通信装置で、前記終了基準に基づき、１以上のアプリケーションを終了する終了部とをさらに備える、請求項１８から２０のうちいずれか１項に記載のシステム。
【請求項２２】
前記通信中に前記起動基準を連続的に更新する更新部をさらに備える、請求項１８から２１のうちいずれか１項に記載のシステム。
【請求項２３】
前記通信中に前記起動基準に基づく前記起動部を連続的に実行する実行部をさらに備える、請求項１８から２２のうちいずれか１項に記載のシステム。
【発明の詳細な説明】
【技術分野】
【０００１】
本発明は、移動通信装置の分野に関し、特に、移動通信装置でのアプリケーションの自動的な起動に関する。
【背景技術】
【０００２】
携帯電話等、現代の携帯通信装置は、音声通信からｅメール送信、文書の編集および共有、インターネットのブラウジング、音楽および動画ファイルの再生等に渡る多数のタスクを実行可能である。しかし、現代の移動通信装置のフォームファクタによって、これらのタスクの多くを並列に実行することは、可能ではあるが困難であり、起動のためにユーザによる様々な煩雑な操作を要求し、不要な待ち時間をもたらす。例えば、ユーザが音声通信を行い、他のパーティとのデータ共有を希望すると、ユーザは、情報の共有を可能とするために、しばしば会話を中断し、移動通信装置のスクリーンを見て装置上の入力手段を操作するための時間を費やさなければならない。同様な問題は、例えば、ユーザがフォーラム上でチャットを行い、１以上の参加者との情報共有を希望する場合に生じる。移動通信装置の煩雑なナビゲーション（ｎａｖｉｇａｔｉｏｎ）および操作（ｏｐｅｒａｔｉｏｎ）は、チャットに参加する人を待たせることになる。また、移動通信装置の操作は、接続、音声またはデータの中断または消失をもたらしうる。よって、音声呼びを実行すると同時に同一または他のパーティに接続情報を送信する等、様々なタスクを同時に実行するために必要となるユーザ操作を減らすことは、非常に歓迎される。
【発明の概要】
【発明が解決しようとする課題】
【０００３】
前述した説明および以下の説明をふまえて、本発明の観点は、前述した従来技術の困難および欠点のうちいずれか１以上を、単独または組合せて緩和し、軽減し、または排除するために、アプリケーションを操作する代替的な方法を提供することにある。
【課題を解決するための手段】
【０００４】
本発明の第１の観点は、通信装置で１以上のアプリケーションを起動する方法に関する。方法は、１以上の部分（ｐａｒｔｓ）が人である２以上の部分の間で通信中に、通信装置で、１以上の表現（ｔｅｒｍｓ）を検出するステップと、表現をデータベースに格納された表現と比較するステップと、比較に応じて１以上のキー表現（ｋｅｙ  ｔｅｒｍｓ）を特定するステップと、特定されたキー表現に基づき起動基準を決定するステップと、通信装置で、起動基準に基づき、１以上のアプリケーションを起動するステップとを含む。
【０００５】
起動は、アプリケーションの開始、フォルダのオープンまたはリストのソート等のコマンドの実行、機能の作動、設定の変更またはこれらの組合せとして解釈される。
【０００６】
起動基準は、さらにユーザ情報に基づいてもよい。
【０００７】
方法は、通信中に特定されたキー表現の発生に関する統計データを格納するステップをさらに含み、起動基準を決定するステップは、さらに統計データに基づいてもよい。
【０００８】
方法は、特定されたキー表現に基づき終了基準を決定し、通信装置で、終了基準に基づき、１以上のアプリケーションを終了するステップをさらに含んでもよい。
【０００９】
終了基準は、さらにユーザ情報に基づいてもよい。
【００１０】
起動基準は、通信中に最初に特定されたキー表現に基づいてもよい。
【００１１】
起動基準は、通信中に連続的に更新されてもよい。
【００１２】
起動基準に基づく起動は、通信中に連続的に実行されてもよい。
【００１３】
起動基準に基づく起動は、通信が終了後に実行されてもよい。
【００１４】
検出は、アプリケーションが起動されると終了してもよい。
【００１５】
実行中のアプリケーションは、他のアプリケーションが起動されると終了してもよい。
【００１６】
本発明の第２の観点は、通信装置で１以上のアプリケーションを起動するように適用された通信装置に関する。通信装置は、１以上の部分（ｐａｒｔｓ）が人である２以上の部分の間で通信中に、通信装置で、１以上の表現（ｔｅｒｍｓ）を検出する検出手段と、表現をデータベースに格納された表現と比較する比較手段と、比較に応じて１以上のキー表現（ｋｅｙ  ｔｅｒｍｓ）を特定する特定手段と、特定されたキー表現に基づき起動基準を決定する決定手段と、通信装置で、起動基準に基づき、１以上のアプリケーションを起動する起動手段とを備える。
【００１７】
通信装置は、ユーザ情報を提供する提供手段をさらに備えてもよい。
【００１８】
通信装置は、通信中に特定されたキー表現の発生に関する統計データを格納する格納手段をさらに備えてもよい。
【００１９】
通信装置は、特定されたキー表現に基づき終了基準を決定する決定手段と、通信装置で、終了基準に基づき、１以上のアプリケーションを終了する終了手段とをさらに備えてもよい。
【００２０】
通信装置は、通信中に起動基準を連続的に更新する更新手段をさらに備えてもよい。
【００２１】
通信装置は、通信中に起動基準に基づく起動手段を連続的に実行する実行手段をさらに備えてもよい。
【００２２】
本発明の第３の観点は、通信装置で１以上のアプリケーションを起動するように適用されたシステムに関する。システムは、１以上の部分（ｐａｒｔｓ）が人である２以上の部分の間で通信中に、通信装置で、１以上の表現（ｔｅｒｍｓ）を検出する検出部と、表現をデータベースに格納された表現と比較する比較部と、比較に応じて１以上のキー表現（ｋｅｙ  ｔｅｒｍｓ）を特定する特定部と、特定されたキー表現に基づき起動基準を決定する決定部と、通信装置で、起動基準に基づき、１以上のアプリケーションを起動する起動部とを備える。
【００２３】
システムは、ユーザ情報を提供する提供部をさらに備えてもよい。
【００２４】
システムは、通信中に特定されたキー表現の発生に関する統計データを格納する格納部をさらに備えてもよい。
【００２５】
システムは、特定されたキー表現に基づき終了基準を決定する決定部と、通信装置で、終了基準に基づき、１以上のアプリケーションを終了する終了部とをさらに備えてもよい。
【００２６】
システムは、通信中に起動基準を連続的に更新する更新部をさらに備えてもよい。
【００２７】
システムは、通信中に起動基準に基づく起動部を連続的に実行する実行部をさらに備えてもよい。
【００２８】
前述した本発明の第１、第２および第３の観点の特徴は、いかなる方法で組合されてもよい。
【図面の簡単な説明】
【００２９】
本発明の他の目的、特徴および利点は、以下で示す本発明の実施形態の詳細な説明から明らかとなる。本発明の実施形態は、添付図面を参照してより詳細に説明される。
【図１】本発明の実施形態に係る移動通信装置の一例としての携帯電話を示す図である。
【図２】本発明の実施形態に係る移動通信装置の典型的なディスプレイ表示を示す図である。
【図３】本発明に係る自動起動手順を示す図である。
【図４】本発明に係る他の自動起動手順を示す図である。
【図５】本発明に係るさらに他の自動起動手順を示す図である。
【図６】本発明に係るさらに他の自動起動手順を示す図である。
【図７】本発明に係るさらに他の自動起動手順を示す図である。
【図８】本発明の実施形態に係るディスプレイ表示の一例を示す図である。
【図９】本発明の実施形態に係るディスプレイ表示の他の例を示す図である。
【図１０】本発明の実施形態に係るディスプレイ表示のさらに他の例を示す図である。
【図１１】本発明の実施形態に係るディスプレイ表示のさらに他の例を示す図である。
【発明を実施するための形態】
【００３０】
本発明の実施形態は、概して、移動通信装置でアプリケーションを自動的に起動することに関する。好適な実施形態は、１以上のマーカー入力装置（ｍａｒｋｅｒ  ｉｎｐｕｔ  ｄｅｖｉｃｅ）を含む、携帯電話等、携帯可能な通信装置に関する。しかし、本発明は、無線通信機能を含まない電子装置にも同様に適用可能であることは勿論である。しかし、明瞭化および簡素化のために、本明細書で説明される大半の実施形態は、携帯電話に関連する。
【００３１】
以下では、本発明の実施形態は、本発明の実施形態を示す添付図面を参照してより詳細に説明される。本発明は、しかし、多くの異なる形態で実施されてもよく、ここで説明する実施形態に限定して解釈されるものではない。むしろ、これらの実施形態は、この開示が十分であり、本発明の範囲を当業者に十分に伝達するために提供される。同様の参照符号は、同様の要素を示している。
【００３２】
図１は、筐体１０１と、表示領域１０２と、表示領域に表示された項目（不図示）をナビゲートする手段１０４とを有する移動通信装置１００を示している。表示領域１０２は、状態表示領域１１４と、１以上のソフトキーバー１１６とを有してもよい。状態表示領域１１４は、例えば、バッテリ状態、受信品質、スピーカのオン／オフ、現在モード、日時等を示すシンボルを含む。状態表示部は、ここに示したシンボルおよび機能を含まなくてもよい。ソフトキーバー１１６は、ナビゲーション手段１０４を用いて、または、タッチスクリーンを用いる場合にはペン状の物体、指、他の身体部でソフトキーを直接タップすることで操作可能である。ソフトキーの機能は、図に示した機能に限定されない。ソフトキーバー１１６と状態表示領域１１４の配置は、例に示すようなスクリーンの下部と上部に限定されない。ナビゲーション手段１０４は、ボタン、回転入力、ジョイスティック、タッチパッド、多方向ボタンの組合せでもよく、選択のためにユーザにより表示項目を直接タップ可能なタッチスクリーンを用いて実現されてもよく、ヘッドセットまたは内蔵マイクを通じて音声作動してもよい。移動通信装置１００は、この種の装置に通常備わる、キーパッド１０６、スピーカ１０８、マイク１１０、カメラ１１２、プロセッサ（不図示）、メモリ（不図示）、1以上の加速度計（不図示）、振動装置（不図示）、ＡＭ／ＦＭ無線送受信機（不図示）、デジタル音声放送送受信機（不図示）等、他の要素を有してもよい。様々な種類の付属品が移動通信装置１００に接続されてもよい。
【００３３】
図２は、典型的な状態表示部２０２、ソフトキーバー２０６および典型的な表示領域２０４を有する、移動通信装置２００の典型的なディスプレイ表示の一例を示している。典型的な状態表示部２０２は、例えば、バッテリ状態、受信品質、スピーカのオン／オフ、現在モード、日時等のシンボルを含む。状態表示部は、他のシンボルを含んでもよい。よって、他のシンボルは、任意の形状、形態または色を有してもよい。ディスプレイ表示の下部に位置するソフトキーバー２０６は、図１に関して説明したナビゲーション手段１０４を用いて操作可能である。ソフトキーの機能は、図に示した機能に限定されない。状態表示領域２０２とソフトキーバー２０６の間に位置する、典型的な表示領域２０４は、携帯通信装置で実行中のアプリケーションからの情報を表示する機能を有することが好ましい。このケースでは、表示領域２０４は、スクロールバー２０８と、ポップアップメニュー２１４と、入力文字２１０と、次の文字、単語、句、略語等が入力される位置を示すカーソル２１２とを含んでいる。
【００３４】
背景技術の項で説明した問題を解決または緩和する一つの方法は、ユーザ間の通信（音声、データ等）を監視し、１または全てのユーザが近い将来にアクセスまたは利用を希望しうる、アプリケーション、動作（ｍａｎｏｅｕｖｒｅ）および／または演算（ｏｐｅｒａｔｉｏｎ）を予測するために用いるキー表現を自動的に検出し、予測されたアプリケーション、動作および／または演算を自動的に起動することである。例えば、２のユーザが音声通信を行っており、一方のユーザが他方のユーザに何かを「覚えておく」と言うと、携帯電話は、「覚えておく」をキー表現として検出し、ユーザが音声通信を終了したときに利用できるように、メモ帳アプリケーションを自動的に起動する。このようにして、時間および手間を省くことができる。
【００３５】
本発明を説明する以下の実施形態では、２のユーザ（２人の人）が互いに携帯電話を通じて音声通信を行う例が用いられる。しかし、本発明は、この例に限定されない。実際、通信は、１のユーザと自動サービス（コンピュータ）との間でもよく、１のユーザと複数のユーザとの間でもよく、ユーザと自動サービスのグループ間でもよい。また、２人の人が対話中に、ユーザ間のテーブルに置かれた携帯電話がマイクを通じて会話を受信して分析してもよい。
【００３６】
図３は、本発明の実施形態による、１以上の部分が人（ユーザ）である２以上の部分の間で通信中にアプリケーションを自動的に起動する手順３００を示している。自動起動手順３００は、部分、この例では両方のユーザが互いに接続し互いに通信可能になると開始される（３０１）。
【００３７】
ユーザ間の音声（発話）会話で、単語、語句、文等の表現が検出される（３０２）。しかし、一実施形態では、一方のユーザが発した表現のみが検出されてもよい。
【００３８】
検出された表現は、データベース３０８に格納された表現と比較される（３０４）。データベースは、例えば手入力で、ユーザにより設定された表現、あるアプリケーションに付随した、もしくは外部データベースからダウンロードされたインストール済みの表現、または携帯電話の購入時に工場でプレインストールされた、プレインストール済みの表現を含んでもよい。
【００３９】
キー表現が比較から特定される（３０６）。これは、例えば、「送信する」、「共有する」等の動詞でもよく、写真撮影および携帯電話の写真アルバムに格納された写真に関連する「画像」等、特定の利用分野に関連した単語でもよい。
【００４０】
３０６で特定された表現は、起動基準の決定（３１０）のための基礎となる。例えばキー表現「送信する」が検出されると、起動基準は、携帯電話でメールアプリケーションを直ぐに起動することとなりうる。
【００４１】
決定された起動基準３１０に応じて、適切なアプリケーションが起動される（３１４）。このケースでは、起動基準が「メールアプリケーションを直ぐに起動」に設定されると、メールアプリケーションが起動される（３１４）。しかし、他の実施形態では、起動基準は、所定の時間に、または特定のイベントが携帯電話で発生した後に、１以上の特定のアプリケーションを起動することに設定されてもよい。
【００４２】
アプリケーションが起動されると、自動起動手順が終了する（３１６）。「アプリケーションを起動」（３１４）とは、本発明および本願を通じて、アプリケーションを起動すること、コマンドを実行すること、移動通信装置の設定を変更することのうちいずれか１つ、またはこれら一連を意味している。一実施形態では、アプリケーションは、検出されたキー表現を通信したユーザの携帯電話で起動され、他の実施形態では、全てのユーザの携帯電話で起動され、検出されたキー表現を通信していない他のユーザの携帯電話でのみ起動されてもよい。
【００４３】
図４は、本発明の実施形態による、アプリケーションを自動的に起動する他の手順４００を示している。自動起動手順４００は、表現を検出し（４０４）、検出された表現をデータベース４１８に格納された表現と比較し（４０８）、キー表現を特定する（４１０）ことで、同様に開始される。起動基準は、この実施形態では、検出されたキー表現に基づくのみではなく、入力された、または格納されたユーザ情報４２０に基づいても決定される。例えば、キー表現「画像」が特定されると、ユーザは、携帯電話の表示スクリーン上で、画像フォルダを開くことを希望するかを質問される。質問に対する回答と、検出されたキー表現とは、起動基準を決定するための基準となる。例えばユーザが「ｙｅｓ」と回答すると、画像フォルダを開く起動基準が生成され、アプリケーションの起動が実行される（４１４）。４１４でアプリケーションを起動すると、前述したように、通話の分析が継続されうる（４２２）。このようにして、会話中に様々なアプリケーションが起動されうる。選択的に、破線で示すように、ユーザは、最初のまたは所定数のアプリケーションが起動された後に、自動起動手順を終了する（４１６）ように設定してもよい。
【００４４】
図５は、本発明の実施形態による、アプリケーションを自動的に起動する他の手順５００を示している。自動起動手順５００は、表現を検出し（５０４）、検出された表現をデータベース５１８に格納された表現と比較する（５０６）ことで、前述した実施形態と同様に開始される。しかし、この実施形態では、特定された表現の発生頻度等の統計データ５２４が格納される。格納されて利用される統計データの種類は、ユーザにより設定され、アプリケーションにより設定され、または工場で予め設定されてもよい。統計データは、特定された表現５０８およびユーザ情報５２０とともに、起動基準５１０を決定するための基準として用いられる。例えば、表現「画像」が会話中に５回使用され、表現「送信する」が会話中に３回使用される。各表現の使用回数は、統計データ５２４として格納される。会話中に表現「画像」の方が多く使用されたので、１以上のユーザは、ｅメールの送信よりも、画像フォルダへのアクセスを希望している可能性が高い。このようにして、起動基準５１０を決定する際に、特定された表現の特定回数が考慮される。起動基準５１０が決定すると、特定された表現、特定された表現の統計情報およびユーザ情報に基づき、適切なアプリケーションが起動される（５１４）。５１４でのアプリケーションの起動後に、前述したように、発話の分析が継続されうる（５２２）。選択的に、破線で示すように、ユーザは、最初のまたは所定数のアプリケーションが起動された後に、自動起動手順を終了する（５１６）ように設定してもよい。
【００４５】
図６は、本発明の実施形態による、アプリケーションを自動的に起動する他の手順６００を示している。自動起動手順６００は、表現を検出し（６０４）、検出された表現をデータベース６１８に格納された表現と比較し（６０６）、キー表現を特定し（６０８）、起動基準を決定し（６１０）、起動基準に基づきアプリケーションを起動する（６１２）ことで、前述した実施形態と同様に開始される。この実施形態では、特定された表現に基づき、終了基準６２０が決定される。終了基準は、起動されたアプリケーションが終了される（６１４）か否かを決定するための基準として用いられる。例えば、メールアプリケーションが起動された状態で表現「画像」が特定されると、画像フォルダが起動される代わりに、メールアプリケーションが終了される。選択的に、破線で示すように、ユーザ情報６２２は、終了基準を決定する過程で考慮される要因となりうる。例えば、ユーザは、前述した例では、現在実行中のアプリケーションを終了すべきか否かを決定するように促されてもよい。６１４でアプリケーションが終了すると、または終了しなくても、前述したように、発話の分析が継続されうる（６２４）。選択的に、破線で示すように、ユーザは、最初のまたは所定数のアプリケーションが起動された後に、自動起動手順を終了する（６１６）ように設定してもよい。
【００４６】
図７は、本発明の実施形態による、アプリケーションを自動的に起動する他の手順７００を示している。自動起動手順７００は、表現を検出し（７０４）、検出された表現をデータベース７１８に格納された表現と比較し（７０６）、キー表現を特定し（７０８）、起動基準を決定し（７１０）、起動基準に基づきアプリケーションを起動する（７１２）ことで、前述した実施形態と同様に開始される。この実施形態では、特定された表現に基づき、および特定された表現７０８について収集された統計データ７２６に基づき、終了基準７２０が決定される。前述した実施形態と同様に、統計データ７２６は、通信中における特定の表現の出現回数、または他の統計データの形態でもよい。終了基準は、起動されたアプリケーションが終了される７１４か否かを決定するための基準として用いられる。終了基準は、このように、他のキー表現に関連して特定の表現が出現した回数に基づいてもよい。例えば、通信中にキー表現「送信する（Ｓｅｎｄ）」が５回特定され、メールアプリケーションが起動する。通信が継続し、表現「画像（Ｐｉｃｔｕｒｅ）」が６回特定され、写真アルバムが起動し、メールアプリケーションが終了する。これは、ユーザがメールよりも写真アルバムを利用する可能性が高いためである。選択的に、破線で示すように、ユーザ情報７２２は、終了基準を決定する過程で考慮される要因となりうる。例えば、ユーザは、特定のユーザとの会話では、特定の表現が統計データとして確保されず、または他のキー表現に対して特定のキー表現が所定回数特定されるまでは、古いアプリケーションを終了して新しいアプリケーションが起動されるべきではないことを指定している。７１４でアプリケーションが終了し、または終了していなくても、前述したように、発話の分析が継続されうる（７２４）。選択的に、破線で示すように、ユーザは、最初のまたは所定数のアプリケーションが起動された後に、自動起動手順を終了する（７１６）ように設定してもよい。
【００４７】
以下は、前述した特定の機能またはステップの説明である。前述した実施形態では、データベースは、ユーザ入力されたキー表現、ダウンロードされたキー表現、工場でプリセットされたキー表現、特定のアプリケーションに関連してインストール済みのキー表現、現在実行中のアプリケーションに応じたキー表現、携帯電話の現在のユーザに基づくキー表現、通信を行っている現在の他のパーティに基づくキー表現等を含んでもよい。
【００４８】
前述した実施形態では、ユーザ情報は、ユーザに促された質問に回答するとき等にユーザにより手入力された情報、ダウンロードおよびインストールされたユーザ情報または特定のキー表現に関連する情報、工場でプリセットされた情報、携帯電話の現在のユーザに基づく情報、通信に参加している他のパーティに基づく情報、現在実行中のアプリケーションに基づく情報、現在のユーザまたは他のパーティの従前の行動に基づく情報等の形態でもよい。
【００４９】
前述した実施形態では、統計データは、特定の時間枠中の通信における特定の表現の発生回数、特定の時間枠中においてキー表現によりアプリケーションの起動／終了が生成された回数等のパラメータの形態でもよい。前の２つのパラメータが現在のユーザに依存し、２つの第１のパラメータが通信を行っている他のパーティに依存し、２つの第１のパラメータが現在実行中のアプリケーションに依存し、２つの第１のパラメータがユーザによる携帯電話の現在の動作／演算、一般集団のキー表現統計に関する予測情報でもよい。
【００５０】
図３から図７に関連して前述した実施形態は、互いに異なる実施形態の特徴やステップを加入および／または省略して、新たな自動起動手順を構成するために組合されてもよい。
【００５１】
以下には、前述した実施形態について、いくつかの例が示されている。
【００５２】
図８は、図３に関連して示した、本発明の実施形態に係る表示スクリーン８００の一例を示している。図８は、２のユーザ間で通信８０６中にある移動通信装置のディスプレイ表示８００を示している。ディスプレイ表示８０２に示すように、１つのキー表現「画像（Ｐｉｃｔｕｒｅ）」８１０が特定されている（８０８）。キー表現「画像（Ｐｉｃｔｕｒｅ）」が写真アルバムの画像に関連するので、写真アルバムの画像フォルダを開くための起動基準が自動的に生成される。起動基準は、自動的に実行され（８１４）、写真アルバム８０５の画像フォルダ８０７が開かれ（起動され）、分類された写真を伴うサブフォルダ８０９がディスプレイ表示８１１に表示される。通信中または通信後にユーザがスクリーンを見ると、所望のアプリケーション、このケースでは写真アルバムとユーザ画像が既にアクセスされて表示されている。よって、ユーザによる移動通信装置の煩雑な操作および時間を省略できる。
【００５３】
図９は、図４に関連して示した、本発明の実施形態に係る表示スクリーン９００の一例を示している。図９は、２のユーザ間で進行中の通信９０６における移動通信装置のディスプレイ表示９００を示している。ディスプレイ表示９０２に示すように、ユーザ間の通信中に、キー表現「画像（Ｐｉｃｔｕｒｅ）」、「ディビッド（Ｄａｖｉｄ）」、「ベッカム（Ｂｅｃｋｈａｍ）」および「送信する（Ｓｅｎｄ）」が検出されている。この例では、ユーザは、ユーザが画像フォルダを開くことを希望するか否かについて、ソフトメニュー９０４を通じて「ユーザ情報」の提供を促されている（９１２）。これは、キー表現「送信する（Ｓｅｎｄ）」も検出されているので、ユーザが代わりにメールアプリケーションを開くことを希望するかもしれないためである。この例では、ユーザは、質問に対して「ｙｅｓ」９１４と回答している。ユーザ情報は、決定されたキー表現とともに、起動基準の決定のための基準となる。このケースでは、写真アルバムの画像フォルダが開かれるが、フットボール（Ｆｏｏｔｂａｌｌ）に関連し、かつ写真アルバムのサブフォルダ（図８参照）に相当する他の関連キー表現が検出されているので、追加のサブフォルダが開かれうる（９０７）。このケースでは、サブフォルダ「フットボール（Ｆｏｏｔｂａｌｌ）」および「ベッカム（Ｂｅｃｋｈａｍ）」が、起動基準を作り上げるユーザ情報に加入される。起動基準は、自動的に実行され（９１４）、写真アルバム９０５の画像フォルダ９０７が開かれ（起動され）、ディビッドベッカムの画像ファイルが表示される（９０９）。通信中または通信後にユーザがスクリーンを見ると、所望のアプリケーション、このケースでは写真アルバムとユーザ画像が既にアクセスされて表示されている。よって、ユーザによる移動通信装置の煩雑な操作および時間が省略できる。
【００５４】
図１０は、図５に関連して示した、本発明の実施形態に係る表示スクリーン１０１０の一例を示している。図１０は、２のユーザ間で進行中の通信１００６における移動通信装置のディスプレイ表示１０００を示している。ディスプレイ表示１０１０に示すように、ユーザ間の通信中に、キー表現「画像（Ｐｉｃｔｕｒｅ）」、「ディビッド（Ｄａｖｉｄ）」、「ベッカム（Ｂｅｃｋｈａｍ）」および「シュート（Ｓｈｏｏｔｉｎｇ）」が検出されている。特定されたキー表現１００４は、ユーザ間の通信における今までの発生回数に基づきランク付けされる（１００６）。キー表現「画像（Ｐｉｃｔｕｒｅ）」は、通信中の発生回数が最大のキー表現であり、第１位にランク付けされ、キー表現「呼び出す（Ｃａｌｌ）」が第２位にランク付けされる。起動基準は、キー表現の統計ランク、ユーザ情報、およびキー表現自体に基づく。結果として、第１位のキー表現「画像（Ｐｉｃｔｕｒｅ）」が画像フォルダに関連するので、ユーザは、画像フォルダを開くことを希望するか否かの選択（１０１４）を促される（１００８）。
【００５５】
統計情報は、１以上のアプリケーションが既に起動されていても、ユーザが希望するアクセスの予測を向上するために、連続的に用いられてよい。図１１は、本発明の実施形態に係る表示スクリーン１１００の一例を示している。図１１は、進行中の通信における移動通信装置のディスプレイ表示１１０９を示している。自動起動手順は、いくつかのキー表現を既に検出し、写真アルバム１１０５を起動させ、フットボール（Ｆｏｏｔｂａｌｌ）およびベッカム（Ｂｅｃｋｈａｍ）フォルダ１１０７を開いている。ベッカムのユーザ写真のリスト１１１１がディスプレイ表示１１０９に示されている。キー表現「得点（ｓｃｏｒｉｎｇ）」１１１４が会話から特定される。図１１のディスプレイ表示１１０９の上部に表示された第２のファイルは、Ｂｅｃｋｈａｍ＿ｓｃｏｒｉｎｇ．ｔｉｆ」と名付けられている。キー表現「得点（ｓｃｏｒｉｎｇ）」１１１４が検出されると、表示されたリストのファイルを再びランク付けする新たな起動基準が生成され、単語「得点（ｓｃｏｒｉｎｇ）」を含むファイルがリストのトップに配置され、ユーザによる選択を容易にする。このように、特定の過程は、近い将来にユーザが希望することおよびアクセスの最良の予測を可能にするために、絶えずアクティブであり、アプリケーションを起動し、いくつかのケースでは既に起動されたアプリケーションを終了させる。
【００５６】
実施形態の他の例は、２のユーザが互いに対話する場合である。一方のユーザは、携帯電話を作動させ、携帯電話は、マイクを通じた通信の監視を開始する。２のユーザ間の通信からキー表現が特定され、適切なアプリケーションおよび／またはコマンドが起動される。例えば、以下の会話が受信される。
【００５７】
ボブが携帯電話を起動し、「ハイ、ジョン。」と言う。
ジョン：「ハイ、ボブ。」
ボブ：「ベッカムが２得点を決めた、昨日のフットボールの試合を見たかい。」
ジョン：「いいや、見てないよ。」
ボブ：「ぼくは、ベッカムがゴールを決めた写真を撮ったよ。見たいかい。」
ジョン：「もちろん、見せてくれよ。」
【００５８】
この会話では、携帯電話は、例えば、キー表現「ボブ」、「ジョン」、「フットボール」、「ベッカム」、「得点」、「昨日」、「いいや」、「見たい」および「もちろん」を受信しうる。キー表現は、ランク付けされ（統計処理され）、互いに関連付けられ（ユーザ情報）、発話された単語（キー表現）に関連付けられる。これら全ての情報が分析され、起動基準が生成される。起動基準は、「写真アルバムと、昨日からのベッカムの写真を含む画像フォルダとにアクセスし、得点に関連する画像を検出して並び替え、ジョンを受信者とする通信を設定して共有を準備し、関連する画像を自動的に共有し、関連する画像の共有をユーザに促す。」となりうる。ユーザは、ゴールを決めたベッカムの写真を共有するために、共有ボタンを押下するのみでよい。このようにして、ボブは、携帯電話の煩雑な操作から解放される。
【００５９】
情報共有は、画像ファイルの共有に限定されない。音楽ファイル、映像ファイル、ストリーミングデータ、データへのリンクまたは参照、接続情報、メッセージデータ、テキストおよび文書データ（例えば、．ｔｘｔ、．ｐｄｆ、．ｄｏｃ、．ｐｐｔ、．ｅｘｅ等）およびメタデータ等、他の種類の情報が共有されてもよい。
【００６０】
ここで用いられる用語は、特定の実施形態を説明するためにのみ用いられており、本発明を限定することを意図するものではない。ここで用いられるように、単数冠詞「ａ」、「ａｎ」、「ｔｈｅ」は、文脈上で明確に示されていない限り、複数冠詞も含むことを意図している。また、用語「ｃｏｍｐｒｉｓｅｓ」、「ｃｏｍｐｒｉｓｉｎｇ」、「ｉｎｃｌｕｄｅｓ」および／または「ｉｎｃｌｕｄｉｎｇ」は、ここで用いられる場合、記載された特徴、整数（ｉｎｔｅｇｅｒ）、ステップ、演算（ｏｐｅｒａｔｉｏｎ）、要素および／または部品の存在を特定するが、１以上の他の特徴、整数、ステップ、演算、要素、部品および／またはこれらの組合せの存在または追加を除外するものではないことは勿論である。
【００６１】
特に定義されていない限り、ここで用いられる全ての用語（技術用語および科学用語を含む）は、本発明が属する技術分野の当業者により通常理解される場合と同一の意味を有している。ここで用いられる用語は、この明細書の文脈上での意味および関連技術の意味と一致する意味を有していると解釈されるべきであり、特に定義されていない限り、理想化されて、または過度に公式的に解釈されるべきではない。
【００６２】
本発明の原理、好適な実施形態および動作形態が前述された。しかし、本発明は、制限的にではなく実例的に理解されるべきであり、前述した特定の実施形態に限定されて理解されるべきではない。本発明の様々な実施形態の異なる特徴は、明示されたものとは他の組合せで組合されてもよい。よって、これらの実施形態は、特許請求の範囲に記載された本発明の範囲を逸脱せずに、当業者により変形されてもよいことは勿論である。
【図１】
2011523284.tif 000003
【図２】
2011523284.tif 000004
【図３】
2011523284.tif 000005
【図４】
2011523284.tif 000006
【図５】
2011523284.tif 000007
【図６】
2011523284.tif 000008
【図７】
2011523284.tif 000009
【図８】
2011523284.tif 000010
【図９】
2011523284.tif 000011
【図１０】
2011523284.tif 000012
【図１１】
2011523284.tif 000013
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
通信装置で１以上のアプリケーションを起動する方法であって、
１以上の部分が人である２以上の部分の間で音声通信中に、前記通信装置で、１以上の表現を検出するステップと、
前記表現をデータベースに格納された表現と比較するステップと、
前記比較に応じて１以上のキー表現を特定するステップと、
前記特定されたキー表現の発生の統計データを格納するステップと、
前記格納された統計データのうち最も発生した前記特定されたキー表現に基づき起動基準を決定するステップと、
前記通信装置で、前記音声通信中に、前記起動基準に基づき、１以上のアプリケーションを起動するステップと、
前記音声通信中に、所定数のアプリケーションが起動されると、前記検出を終了するステップと
を含む方法。
【請求項２】
前記起動基準は、さらにユーザ情報に基づく、請求項１に記載の方法。
【請求項３】
前記特定されたキー表現に基づき終了基準を決定し、前記通信装置で、前記終了基準に基づき、１以上のアプリケーションを終了するステップをさらに含む、請求項１または２に記載の方法。
【請求項４】
前記終了基準は、さらにユーザ情報に基づく、請求項３に記載の方法。
【請求項５】
前記起動基準は、前記音声通信中に最初に特定されたキー表現に基づく、請求項１から４のうちいずれか１項に記載の方法。
【請求項６】
前記起動基準は、前記音声通信中に連続的に更新される、請求項１から５のうちいずれか１項に記載の方法。
【請求項７】
前記起動基準に基づく起動は、前記音声通信中に連続的に実行される、請求項１から４のうちいずれか１項に記載の方法。
【請求項８】
前記起動基準に基づく前記起動は、前記音声通信が終了後に実行される、請求項１から７のうちいずれか１項に記載の方法。
【請求項９】
実行中のアプリケーションは、他のアプリケーションが起動されると終了する、請求項１に記載の方法。
【請求項１０】
通信装置で１以上のアプリケーションを起動するように適用された前記通信装置であって、
１以上の部分が人である２以上の部分の間で音声通信中に、前記通信装置で、１以上の表現を検出する検出手段と、
前記表現をデータベースに格納された表現と比較する比較手段と、
前記比較に応じて１以上のキー表現を特定する特定手段と、
前記音声通信中に、前記特定されたキー表現の発生に関する統計データを格納する格納手段と、
前記格納手段の最も発生した前記特定されたキー表現に基づき起動基準を決定する決定手段と、
前記音声通信装置で、前記起動基準に基づき、１以上のアプリケーションを起動する起動手段と
前記音声通信中に、所定数のアプリケーションが起動されると、前記検出を終了する終了手段と
を備える通信装置。
【請求項１１】
ユーザ情報を提供する提供手段をさらに備える、請求項１０に記載の通信装置。
【請求項１２】
前記特定されたキー表現に基づき終了基準を決定する決定手段と、前記通信装置で、前記終了基準に基づき、１以上のアプリケーションを終了する終了手段とをさらに備える、請求項１０または１１に記載の通信装置。
【請求項１３】
前記音声通信中に前記起動基準を連続的に更新する更新手段をさらに備える、請求項１０から１２のうちいずれか１項に記載の通信装置。
【請求項１４】
前記音声通信中に、前記起動基準に基づき、前記起動手段を連続的に実行する実行手段をさらに備える、請求項１３に記載の通信装置。
【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
通信装置で１以上のアプリケーションを起動する方法であって、
１以上の部分が人である２以上の部分の間で音声通信中に、前記通信装置で、１以上の表現を検出するステップ（３０２）と、
前記表現をデータベース（３０８）に格納された表現と比較するステップ（３０４）と、
前記比較に応じて１以上のキー表現を特定するステップ（３０６）と、
１以上のキー表現に基づき起動基準を決定するステップ（３１０）と、
前記通信装置で、前記起動基準に基づき、１以上のアプリケーションを起動するステップ（３１４）と、
前記音声通信中に、所定数のアプリケーションが起動されると、前記検出を終了するステップ（３１６）と
を含み、
前記起動基準を決定するステップは、前記特定されたキー表現の発生の統計データを格納するステップを含み、前記格納された統計データのうち最も発生した前記特定されたキー表現に基づくことを特徴とする方法。
【請求項２】
前記起動基準は、さらにユーザ情報（４２０）に基づく、請求項１に記載の方法。
【請求項３】
前記特定されたキー表現に基づき終了基準を決定し、前記通信装置で、前記終了基準に基づき、１以上のアプリケーションを終了するステップ（６２０）をさらに含む、請求項１または２に記載の方法。
【請求項４】
前記終了基準は、さらにユーザ情報（６２２）に基づく、請求項３に記載の方法。
【請求項５】
前記起動基準は、前記音声通信中に最初に特定されたキー表現に基づく、請求項１から４のうちいずれか１項に記載の方法。
【請求項６】
前記起動基準は、前記音声通信中に連続的に更新される、請求項１から５のうちいずれか１項に記載の方法。
【請求項７】
前記起動基準に基づく起動は、前記音声通信中に連続的に実行される、請求項１から４のうちいずれか１項に記載の方法。
【請求項８】
前記起動基準に基づく起動は、前記音声通信中に実行される、請求項１から７のうちいずれか１項に記載の方法。
【請求項９】
前記起動基準に基づく前記起動は、前記音声通信が終了後に実行される、請求項１から８のうちいずれか１項に記載の方法。
【請求項１０】
実行中のアプリケーションは、他のアプリケーションが起動されると終了する、請求項１に記載の方法。
【請求項１１】
通信装置（１００）で１以上のアプリケーションを起動するように適用された前記通信装置（１００）であって、
１以上の部分が人である２以上の部分の間で音声通信（８０６）中に、前記通信装置（１００）で、１以上の表現（８１０）を検出する検出手段と、
前記表現をデータベース（４１８）に格納された表現と比較する比較手段と、
前記比較に応じて１以上のキー表現を特定する特定手段と、
前記格納手段の最も発生した前記特定されたキー表現に基づき起動基準を決定する決定手段と、
前記通信装置（１００）で、起動基準に基づき、１以上のアプリケーション（８０５）を起動する起動手段と
前記音声通信中に、所定数のアプリケーションが起動されると、前記検出を終了する終了手段と
を備え、
前記音声通話中に前記特定されたキー表現の発生に関する統計データを格納する格納手段と、前記格納手段の最も発生した前記特定されたキー表現に基づき前記起動基準を決定する決定手段とをさらに備えることを特徴とする通信装置。
【請求項１２】
ユーザ情報を提供する提供手段をさらに備える、請求項１１に記載の通信装置。
【請求項１３】
前記特定されたキー表現に基づき終了基準を決定する決定手段と、前記通信装置で、前記終了基準に基づき、１以上のアプリケーションを終了する終了手段とをさらに備える、請求項１１または１２に記載の通信装置。
【請求項１４】
前記音声通信中に前記起動基準を連続的に更新する更新手段をさらに備える、請求項１１から１３のうちいずれか１項に記載の通信装置。
【請求項１５】
前記音声通信中に、前記起動基準に基づき、前記起動手段を連続的に実行する実行手段をさらに備える、請求項１４に記載の通信装置。
【国際調査報告】
2011523284.tif 000014
2011523284.tif 000015
2011523284.tif 000016